(57)【要約】【課題】本発明は既設のマンホールに使用されている外径寸法或はボルト孔部の位置の異なる複数種類の蓋受枠をボルトを介して強固に取付固定し得るマンホール用斜壁管を目的とする。【解決手段】上縁２の上表面２ａを巾広に形成し、かつ該上表面に内側から外側に向けて複数のインサートアンカー７を放射状に埋設し、さらに下部内側の下縁に沿って止水用溝８を設けると共に、下部外周壁の所定部分に切削部１０を設けて構成したマンホール用斜壁管１の構造である。【選択図】　　　　図１
2004143791.tif 000002
【特許請求の範囲】
【請求項１】
マンホールの直壁管と蓋受枠との間に介在して使用される斜壁管に於て、該斜壁管の上縁上表面を巾広に形成すると共に、該上縁上表面に内側から外側に向けて複数のインサートアンカーを配置埋設して構成したことを特徴としたマンホール用の斜壁管。
【請求項２】
前記斜壁管の下部内側の下縁に止水用溝を設けて構成したことを特徴とした請求項１のマンホール用斜壁管。
【請求項３】
前記斜壁管の下部外周壁の所定部分をほぼ垂直状に形成して肉薄に構成したことを特徴とした請求項１或は請求項２のマンホール用斜壁管。
【請求項４】
前記斜壁管の下部内周壁にインサートアンカーを埋設して構成したことを特徴とした請求項１乃至請求項３のマンホール用斜壁管。
【発明の詳細な説明】
【０００１】
【発明の属する技術分野】
本発明は既設マンホールの改良施工の際等に有効に使用されるマンホール用斜壁管に係り、特に外径寸法或はボルト孔の位置の異なる複数種類の蓋受枠を上縁上表面にボルトによって強固に取付固定することが可能なマンホール用斜壁管に関するものである。
【０００２】
【従来の技術】
従来、例えば本件特許出願人が開発した、実用新案文献１、実用新案文献２、実用新案文献３等に例示する組立式マンホール、組立式浸透井、或は現場でコンクリートを打設して形成される既設のマンホール等に於ては、マンホールの躯体本体と鉄蓋を被蓋し得る蓋受枠との間に斜壁間が介在されていた。
【０００３】
前述の斜壁管は、例えば実用新案文献４によって、全体の構造を斜視図で示す如く、下部が大径で上部が小径に形成されている。このような構造を有する斜壁管を使用した場合には、地中に埋設されたマンホールの地表に近い入口の径を小さくすることが出来、そのために小径の蓋受枠及び鉄蓋を使用することが出来るように構成されている。
【０００４】
【実用新案文献１】
実公平１−１１８２３号公報
【実用新案文献２】
実公昭６２−１４２１３号公報
【実用新案文献３】
実公平６−４９６２４号公報
【実用新案文献４】
実公昭５９−２５９７３号公報
【０００５】
【発明が解決しようとする課題】
然るに前述の従来の斜壁管は、予めその上縁に設置される蓋受枠の外径に対応する寸法に設計されて製造されるので、斜壁管の上縁の上表面は特定の蓋受枠のみを載置し得る巾寸法、即ち狭い巾寸法を持って形成されていた。
【０００６】
マンホールを新設する場合には、予め使用される蓋受枠が決定されているので、この蓋受枠に合わせた寸法を持った斜壁管を使用することには問題がないが、既設のマンホールを改良するために使用される斜壁管は、既設のマンホールに取付けられていた寸法やボルトの取付固定位置の異なる種々の蓋受枠に夫々対応させなければならないので、これ等を全て解決するためには多くの問題があった。
【０００７】
特に、近年になって都市の舗装が促進されかつ緑地が宅地化される等の理由で下水道に大量の雨水が流入し、マンホールの鉄蓋が浮上或は飛散する事故が発生する問題があった。
【０００８】
その事故の大きな原因は、既設マンホールの場合に鉄蓋を支持する蓋受枠がマンホールの斜壁管に全くボルト固定されていなかったり、或はボルトを介して蓋受枠を斜壁管に取付けられていた場合でも、両者の結合が充分でないために、大きな水圧によって両者の結合手段が破壊されてしまうこと等の問題があった。
【０００９】
従って、最近になって、前述の事故の大きな原因となっている問題を根本的に解決すべく、既設のマンホールの上部の周りの舗装を堀削し、斜壁管並びにこの斜壁管に取付けられた蓋受枠を除去し、斜壁管を新規な斜壁管と交換し、この斜壁管に従来使用されていた前記蓋受枠をボルトを介して強固に固定する工事が施工されるようになって来た。
【００１０】
本発明に係るマンホール用斜壁管は前述の従来の多くの問題点に鑑み開発された全く新しい技術であって、特に斜壁管の上縁上表面を巾広に形成し、かつその上表面に内側から外側に向けて複数のインサートアンカーを配列し、これによって径やボルトの取付位置の異なる数種類の蓋受枠を、ボルトを介して斜壁管に強固に取付固定し得るようにした斜壁管の技術を提供するものである。
【００１１】
【課題を解決するための手段】
本発明に係るマンホール用斜壁管は、前述の従来の問題点を根本的に改善した発明であって、その第１発明の要旨は、マンホールの直壁管と蓋受枠との間に介在して使用される斜壁管に於て、該斜壁管の上縁上表面を巾広に形成すると共に、該上縁上表面に内側から外側に向けて複数のインサートアンカーを配置埋設して構成したことを特徴としたマンホール用の斜壁管である。
【００１２】
前述の第１発明に於ては、斜壁管の上縁上表面を巾広に形成しかつその上表面に内側から外側に向けて複数のインサートアンカーを放射状に配列して構成したので、外径或はボルトを挿通するための孔の場所が異なる数種類の蓋受枠を、夫々当該斜壁管の上表面に載置することが出来る。そして上表面に載置された蓋受枠のボルト孔と斜壁管のインサートアンカーとを合致させた後で、ボルトを挿通することによって両者をボルトを介して強固に結合させることが出来る。
【００１３】
本発明に係るマンホール用斜壁管の第２発明の要旨は、前記斜壁管の下部内側の下縁に止水用溝を設けて構成したことを特徴とした第１発明のマンホール用斜壁管である。
【００１４】
前述の第２発明に於ては、斜壁管の下部内側の下縁に沿って止水用溝を設けて構成したので、該斜壁管をマンホールの躯体に設置した際に、該躯体と斜壁管との間に止水用溝による隙間を形成することが出来る。従って、この隙間にシーリング材を充填することによって、躯体と斜壁管との接合部を完全に止水構造にすることが出来る。
【００１５】
本発明に係るマンホール用斜壁管の第３発明の要旨は、前記斜壁管の下部外周壁の所定部分をほぼ垂直状に形成して肉薄に構成したことを特徴とした第１発明或は第２発明のマンホール用斜壁管である。
【００１６】
前述の第３発明に於ては、斜壁管の下部外周壁の所定部分をほぼ垂直状に形成して肉薄に構成したので、斜壁管を軽量にして取扱い易くすることが出来る。かつ、該斜壁管をマンホール躯体本体に設置した際に、斜壁管の外周縁とマンホール躯体本体の上表面との間に段部を形成することが出来る。従って、この段部にモルタルを塗着してマンホール躯体本体と斜壁管とをより強固に接合すると共に、両者の接合部を止水構造に構成することが出来る。
【００１７】
本発明に係るマンホール用斜壁管の第４発明の要旨は、前記斜壁管の下部内周壁にインサートアンカーを埋設して構成したことを特徴とした第１発明乃至第３発明のマンホール用斜壁管である。
【００１８】
前述の第４発明に於ては、斜壁管の下部内周壁にインサートアンカーを埋設して構成したので、このインサートアンカーに緊結ボルトを螺合することによって、緊結プレートを介して該斜壁管を既設のマンホール躯体本体に強固に緊結固定することが出来る。
【００１９】
【発明の実施の形態】
図により本発明に係るマンホール用斜壁管について説明すると、図１は本発明に係る斜壁管の斜視説明図、図２（ａ）、（ｂ）は図１の斜壁管の縦断面及び平面図、図３（ａ）、（ｂ）、（ｃ）は夫々マンホール用鉄蓋及び蓋受枠を例示する平面図である。
【００２０】
図４は図１の斜壁管の使用状態を示す断面説明図、図５（ａ）、（ｂ）は夫々図１の斜壁管に寸法の異なる蓋受枠が取付けられる状態を示す断面説明図、図６（ａ）、（ｂ）は図１の斜壁管がマンホール躯体本体に取付固定される状態の要部の断面説明図である。
【００２１】
図１及び図２（ａ）、（ｂ）に於て、１は本発明に係る斜壁管であって、その上縁２の上表面２ａは巾広（肉厚状）に形成されている。即ち、図２（ａ）によって例示するように、上縁２の上表面２ａの巾は２００ｍｍに形成されている。
【００２２】
従来の斜壁管（図示せず）の上縁の上表面は、通常約１１０ｍｍに形成されていたが、本発明の斜壁管１に於ては、前述のように上表面２ａの巾を従来の約２倍の２００ｍｍに形成している。
【００２３】
本発明に係る斜壁管１に於ては、上縁２の上表面２ａの巾を大きくしたので、図３（ａ）、（ｂ）、（ｃ）に示す如き、外径寸法の異なるマンホール用の蓋受枠３、４、５のいずれも設置することが出来るように構成されている。前記蓋受枠３の外径は８２０ｍｍ、蓋受枠４の外径は９００ｍｍ、蓋受枠５の外径は１，０００ｍｍである。
【００２４】
前記蓋受枠３、４、５には、孔、切溝等よりなるボルト挿通部６が任意の場所に複数個づつ設けられている。図で明らかな如く、これ等のボルト挿通部６は、蓋受枠３、４に於ては、夫々６個所に設けられており、蓋受枠５に於ては４個所に設けられている。また、これ等の蓋受枠３、４、５には夫々鉄蓋３ａ、４ａ、５ａが開閉自在に被蓋されている。
【００２５】
本発明に係る斜壁管１の上縁２の上表面２ａには、前述の蓋受枠３、４、５の夫々のボルト挿通部６に対応して、特に図１及び図２（ｂ）に示す如く、インサートアンカー７が内側から外側に向って３重に、かつ一つの円周上に１２個が夫々配列されるように埋設されている。
【００２６】
前述のように、上縁２の上表面２ａに、内側から外側に向けて３重に各１２個づつインサートアンカー７を同心円状に埋設した場合には、前述の蓋受枠３、４、５のボルト挿通部６をいずれかのインサートアンカー７に合致させることが出来る。
【００２７】
従って、別に用意したボルトを用いて、該ボルト挿通部６にボルト１９を挿通すると共に、このボルト１９の先端部をインサートアンカー７の中心部に設けられたネジ孔に螺合させることによって、蓋受枠３、４、５のいずれかを斜壁管１に強固に取付固定することが出来る。
【００２８】
前述の実施例に於ては、斜壁管１の上縁２の上表面２ａに、インサートアンカー７を内側から外側に向けて３重に埋設したが、これ等のインサートアンカー７は、既存の蓋受枠の径及びボルト挿通部６に対応して多重に、かつ所望の位置に予め埋設しておくことが出来る。
【００２９】
また、本発明に係る斜壁管１の下部内側の下縁には、特に図２（ａ）に明らかな如く、所定巾の止水用溝８が設けられている。図中９は斜壁管１の内周壁に取付けられたステップである。また、斜壁管１の下部内周壁には４個のインサートアンカー２１が埋設されている。
【００３０】
さらに、本発明に係る斜壁管１の下部外周壁の所定位置には、特に図２（ａ）によって明らかな如く、ほぼ垂直状の直線部１０が設けられており、これによって斜壁管１の下部を肉薄にすると共に、その外径を小さくし、斜壁管１の全体の重量を軽くしている。
【００３１】
前述の構造を有する本発明の斜壁管１を用いて、既設のマンホールを改修する一実施例を図４乃至図６（ａ）、（ｂ）により説明すると、次の通りである。
【００３２】
先ず、図４に示す如く、既設のマンホール１１の上部の周りの舗装１２を所定巾で切削除去した後で、既設のマンホール１１のマンホール躯体本体１３上に固定されていた斜壁管（図示せず）及び、この斜壁管上に載置されていた蓋受枠５及び鉄蓋５ａを夫々クレーン等によって除去する。
【００３３】
次に、図４乃至図６に示す如く、マンホール躯体本体１３上に前記斜壁管１を設置し、該斜壁管１の下部内壁に設けられたインサートアンカー２１を利用して、緊結プレート１４及び緊結ボルト１５によってマンホール躯体本体１３に取付固定する。続いて斜壁管１の上縁２上に、今迄除去されていた蓋受枠５（或は蓋受枠３）を載置し、両者をボルト１９で強固に結合させた後で、マンホールの上部の周りに舗装１２を埋戻すことによって、改修を完了させることが出来る。
【００３４】
前記斜壁管１をマンホール躯体本体１３に水密状態に設置する場合には、特に図６（ａ）、（ｂ）に示す如く、マンホール躯体本体１３の上縁上表面に敷モルタル１６を施した上に斜壁管１の下縁を当接し、さらに斜壁管１の止水用溝８とマンホール躯体本体１３の上縁上表面とによって形成される隙間にはシーリング材１７を充填し、かつ斜壁管１の外周壁に設けられた直線部１０とマンホール躯体本体１３の上表面とによって形成される段部にはモルタル１８を塗着することによって、斜壁管１とマンホール躯体本体１３との接合部を止水状態に保つことが出来る。図中２０は高さ調節用のスペーサーである。
【００３５】
【発明の効果】
本発明に係るマンホール用斜壁管に於ては、斜壁管の上縁上表面を巾広に形成しかつその上表面に内側から外側に向けて複数のインサートアンカーを放射状に配列して構成したので、外径の異なる数種類の蓋受枠を夫々当該斜壁管の上表面に載置することが出来る効果を有している。そして上表面に載置された蓋受枠のボルト孔と斜壁管のインサートアンカーとを合致させた後で、ボルトを挿通することによって両者をボルトを介して強固に結合させることが出来る効果を有している。
【００３６】
本発明に係るマンホール用斜壁管に於て、斜壁管の下部内側の下縁に沿って止水用溝を設けて構成した場合には、該斜壁管をマンホールの躯体に設置した際に、該躯体と斜壁管との間に止水用溝による隙間を形成することが出来る効果がある。従って、この隙間にシーリング材を充填することによって、躯体と斜壁管との接合部を完全に止水構造にすることが出来る効果を有している。
【００３７】
本発明に係るマンホール用斜壁管に於て、斜壁管の下部外周壁の所定部分をほぼ垂直状に形成して肉薄に構成した場合には、斜壁管を軽量にして取扱い易くすることが出来る効果がある。かつ、該斜壁管をマンホール躯体本体に設置した際に、斜壁管の外周縁とマンホール躯体本体の上表面との間に段部を形成することが出来る効果がある。従って、この段部にモルタルを塗着してマンホール躯体本体と斜壁管とをより強固に接合すると共に、両者の接合部を止水構造に構成することが出来る効果を有している。斜壁管の下部内周壁にインサートアンカーを設けた場合には、緊結プレートを固定する緊結ボルトをこのインサートアンカーに螺合することが出来る効果を有している。
【図面の簡単な説明】
【図１】本発明に係る斜壁管の斜視説明図である。
【図２】図１の斜壁管の縦断面及び平面図である。
【図３】マンホール用鉄蓋及び蓋受枠を例示する平面図である。
【図４】図１の斜壁管の使用状態を示す断面説明図である。
【図５】図１の斜壁管に寸法の異なる蓋受枠が取付けられる状態を示す断面説明図である。
【図６】図１の斜壁管がマンホール躯体本体に取付固定される状態の要部の断面説明図である。
【符号の説明】
１　　　…斜壁管
２　　　…上縁
２ａ　　…上表面
３　　　…蓋受枠
４　　　…蓋受枠
５　　　…蓋受枠
６　　　…ボルト挿通部
７　　　…インサートアンカー
８　　　…止水用溝
９　　　…ステップ
１０　　…直線部
１１　　…既設のマンホール
１２　　…舗装
１３　　…マンホール躯体本体
１４　　…緊結プレート
１５　　…緊結ボルト
１６　　…敷モルタル
１７　　…シーリング材
１８　　…モルタル
１９　　…ボルト
２０　　…スペーサー
２１　　…インサートアンカー
【図１】
2004143791.tif 000003
【図２】
2004143791.tif 000004
【図３】
2004143791.tif 000005
【図４】
2004143791.tif 000006
【図５】
2004143791.tif 000007
【図６】
2004143791.tif 000008